(57)【特許請求の範囲】
【請求項１】
リモコン装置により眠り制御運転選択時には、使用者が眠り専用の設定温度を通常運転の設定温度とは独立して設定できるようにした空気調和機において、
眠り制御運転を選択する眠り自動ボタンと、
この眠り自動ボタンが押されたら、前記通常運転時と眠り制御運転時との両方の設定温度を同時に表示する表示部とを備えたことを特徴とする空気調和機のリモコン装置。
【請求項２】
眠り制御運転用設定温度選択ボタンと、
この眠り制御運転用設定温度選択ボタンを押すと、眠り制御運転用設定温度を変更できるモードになる手段と、
を備えたことを特徴とする請求項１記載の空気調和機のリモコン装置。
【請求項３】
眠り制御運転用設定温度選択ボタンと、
この眠り制御運転用設定温度選択ボタンを押すと、一定時間眠り制御運転用設定温度を表示し、該眠り制御運転用設定温度を変更可能にできるモードになる手段と、
を備えたことを特徴とする請求項１記載の空気調和機のリモコン装置。
【請求項４】
前記眠り制御運転を選択しない場合は、通常運転の設定温度のみを表示する手段と、
前記眠り制御運転を選択すると、前記通常運転と眠り制御運転の両方の設定温度を表示する手段と、
を備えたことを特徴とする請求項１記載の空気調和機のリモコン装置。
【請求項５】
リモコン装置により眠り制御運転選択時には、使用者が眠り専用の設定温度を通常運転の設定温度とは独立して設定できるようにした空気調和機において、
眠り制御運転を選択する眠り自動ボタンと、
この眠り自動ボタンの操作に応じて、前記通常運転時と眠り制御運転時との何れか一方の設定温度を表示する表示部とを備えたことを特徴とする空気調和機のリモコン装置。
【請求項６】
前記眠り制御運転中は眠り制御の設定温度のみを表示する手段と、
前記通常運転時は通常運転時の設定温度のみを表示する手段と、
を備えたことを特徴とする請求項５記載の空気調和機のリモコン装置。
【請求項７】
前記眠り制御運転用設定温度選択ボタンを押した場合は、前記眠り制御運転の設定温度を表示する手段と、
前記眠り制御運転用設定温度選択ボタンが押されない場合は、前記通常運転の設定温度を表示する手段と、
を備えたことを特徴とする請求項５記載の空気調和機のリモコン装置。
【請求項８】
前記眠り制御運転用設定温度選択ボタンを押した場合に、一定時間前記眠り制御運転時の設定温度を表示する手段を備えたことを特徴とする請求項７記載の空気調和機のリモコン装置。
【発明の詳細な説明】
【０００１】
【発明の属する技術分野】
この発明は、空気調和機のリモコン装置に関する。
【０００２】
【従来の技術】
従来の空気調和機は、眠り制御運転を選択した時、眠り制御運転での設定温度をマイコンが独自に設定して制御している。このため眠り制御運転中は、リモコンの設定温度表示を消灯させている。これは眠り制御運転中の設定温度をより細かく制御するため、エアコンの設定温度とリモコンの設定温度表示との食い違いをなくすことを目的にしている。
【０００３】
また、リモコンとエアコン本体との間で信号の送受信を行う方法があるが、この場合はリモコン表示の設定温度とエアコン本体の設定温度は一致させることができ、使用者の手元で現在のエアコンの設定温度を確認することができる。
【０００４】
【発明が解決しようとする課題】
従来の空気調和機は上記のように眠り制御運転時に、きめ細く設定温度を変化させるために起るリモコンとの設定温度の食い違いを防止しようとして、設定温度表示を消灯させてしまうため、使用者が今、エアコンがどの目標温度に向かって運転しているのかが解らず、不安感を抱くことになる。
【０００５】
また、リモコンとエアコン本体との信号の送受信を行う場合、エアコン本体に送信機、リモコンに受信機を新たに取り付けなければならないため、コストの増大を招くという問題があったり、リモコンがエアコン本体からの信号の届かない所、例えば隣の部屋や雑誌等の下に置かれていた場合、信号を受信できないことになり、この場合もエアコン本体の設定温度とリモコンの設定温度表示が食い違うこととなる。
【０００６】
さらに、眠り制御運転中の設定温度を通常制御時の設定温度とは別に、使用者が独自に設定することができないため、睡眠中に肌寒く感じたり、暑くて寝苦しく感じたりして安眠できない場合があった。
【０００７】
この発明は、かかる問題点を解決するためになされたもので、眠り制御運転中でも安心して睡眠できる空気調和機のリモコン装置を提供することを目的とする。
【０００８】
【課題を解決するための手段】
この発明に係る空気調和機のリモコン装置は、リモコン装置により眠り制御運転選択時には、使用者が眠り専用の設定温度を通常運転の設定温度とは独立して設定できるようにした空気調和機において、眠り制御運転を選択する眠り自動ボタンと、この眠り自動ボタンが押されたら、通常運転時と眠り制御運転時との両方の設定温度を同時に表示する表示部とを備えたことを特徴とする。
【０００９】
また、眠り制御運転用設定温度選択ボタンと、この眠り制御運転用設定温度選択ボタンを押すと、眠り制御運転用設定温度を変更できるモードになる手段とを備えたものである。
【００１０】
また、眠り制御運転用設定温度選択ボタンと、この眠り制御運転用設定温度選択ボタンを押すと、一定時間眠り制御運転用設定温度を表示し、眠り制御運転用設定温度を変更可能にできるモードになる手段とを備えたものである。
【００１１】
また、眠り制御運転を選択しない場合は、通常運転の設定温度のみを表示する手段と、眠り制御運転を選択すると、通常運転と眠り制御運転の両方の設定温度を表示する手段とを備えたものである。
【００１２】
また、リモコン装置により眠り制御運転選択時には、使用者が眠り専用の設定温度を通常運転の設定温度とは独立して設定できるようにした空気調和機において、眠り制御運転を選択する眠り自動ボタンと、この眠り自動ボタンの操作に応じて、通常運転時と眠り制御運転時との何れか一方の設定温度を表示する表示部とを備えたことを特徴とする。
【００１３】
また、眠り制御運転中は眠り制御の設定温度のみを表示する手段と、通常運転時は通常運転時の設定温度のみを表示する手段とを備えたものである。
【００１４】
また、眠り制御運転用設定温度選択ボタンを押した場合は、眠り制御運転の設定温度を表示する手段と、眠り制御運転用設定温度選択ボタンが押されない場合は、通常運転の設定温度を表示する手段とを備えたものである。
【００１５】
また、眠り制御運転用設定温度選択ボタンを押した場合に、一定時間眠り制御運転時の設定温度を表示する手段を備えたものである。
【００１６】
【発明の実施の形態】
実施の形態１．
以下、この発明の実施の形態１を図面を参照して説明する。
図１はこの発明の実施の形態１〜５に共通のリモコン表示に関する制御ブロック図である。図に示すように、眠り制御運転を選択する眠り制御運転選択手段１と、通常運転時の設定温度を任意に設定する通常運転用設定温度変更手段２と、眠り制御中の設定温度を任意に設定する眠り制御運転用設定温度変更手段３と、表示手段を決定する表示制御手段４と、通常運転用の設定温度を表示することができる通常運転用設定温度表示手段５と、眠り制御運転用の設定温度を表示することができる眠り制御運転用設定温度表示手段６と、眠り制御運転用の設定温度を一定時間だけ表示することができる一定時間表示維持手段７によって構成されている。
【００１７】
図２はこの発明の実施の形態１〜２に共通のリモコンの表示部と操作部を示す図である。図に示すように、リモコン表示部は通常運転用設定温度表示部や眠り制御運転用設定温度表示部等を有し、また、リモコン表側操作部は、入／切ボタン、運転切換ボタン、眠り自動ボタン等を有し、さらに、リモコンふた内側操作部は、眠り温度ボタン等を有する。
【００１８】
次に、図３のフローチャートによりリモコン表示に関する制御フローを説明する。
ステップＳ１で、先ずリモコンの入／切ボタンを押して電源ＯＮとし空気調和機の通常運転を開始し、リモコン表示部に通常運転時の設定温度を表示する（ステップＳ２）。この状態では通常運転時の設定温度のみを表示した状態となり、設定温度を変更する場合は、通常運転用設定温度を変更することになる。そして、ステップＳ３で眠り制御運転選択用の眠り自動ボタンを押し、眠り制御を開始すると通常運転用設定温度表示と眠り制御運転用設定温度が同時にリモコン表示部に表示される（ステップＳ４）。
【００１９】
そして、通常運転用設定温度と眠り制御運転用設定温度が両方表示されているときに、設定温度を上げる、または下げるといった設定温度の変更を行う場合、初期状態は通常運転用の設定温度を変更できるモードになる。
ここで通常運転時の設定温度と眠り制御運転用の設定温度を選択する眠り制御運転設定温度選択用の眠り温度ボタンを押すことにより（ステップＳ５）、眠り制御用設定温度を変更できるモードに切り換えることができる（ステップＳ６）。
【００２０】
これにより、眠り制御選択時には通常運転時の設定温度と、眠り制御運転時の設定温度がリモコンに併わせて表示されるため、眠り制御運転中であっても設定温度を容易に確認することができ、冷房運転時ではあらかじめ眠り制御用設定温度を高めに設定することで、寝冷えを未然に防ぐことができ、健康的な空調を行なうことができる。また、暖房運転においても眠り制御用設定温度を低めに設定することで暖めすぎを防止し、さらに無駄なエネルギーの消費を防ぐことができる。
【００２１】
実施の形態２．
図４のリモコン表示に関する制御フローに示すように、ステップＳ５で眠り制御運転用設定温度を選択すると、ステップＳ８でタイマーをカウント開始し、ステップＳ９でタイマーのカウント時間が一定時間以内の場合は、眠り制御運転用設定温度を変更できるモードになり（ステップＳ６）、タイマーのカウントが一定時間経過すると、ステップＳ７の通常運転用設定温度を変更できるモードになり、使用者が意志を持って眠り制御運転用設定温度を変更するとき以外でリモコンを操作した際、誤って眠り制御運転用設定温度を変更してしまい眠り制御運転用設定温度を低く設定し過ぎたり高く設定し過ぎたりして快適な安眠を妨げることのないように予防することができる。
【００２２】
実施の形態３．
次に、リモコンの表示部が小さく、通常運転時の設定温度と、眠り制御運転時の設定温度を二つ並べて表示することができない場合について説明する。
この場合は図５に示す制御フロー図のように、まず、電源ＯＮで通常運転用設定温度を表示し（ステップＳ２）、眠り制御運転選択手段を選択すると（ステップＳ３）、通常運転用設定温度に代わって、眠り制御用設定温度表示に切り替えられる(ステップＳ１０)。ここで、設定温度表示選択ボタンで眠り制御運転用設定温度か通常運転用設定温度かを選択して、設定温度を変更するモードを選択することができる(ステップＳ１１)。
【００２３】
実施の形態４．
また、図６の制御フロー図に示すように、ステップＳ３で眠り制御運転を選択しても、ステップＳ２の通常運転用設定温度の表示を継続し、ステップＳ５で眠り制御運転用設定温度を選択すると、眠り制御運転用設定温度を表示するようにもできる(ステップＳ１０)。
【００２４】
実施の形態５．
さらに、図７の制御フロー図に示すように、実施の形態４の制御フローにおいて、実施の形態２と同じように眠り制御運転用設定温度を変更できるモードのとき、タイマーをカウントさせ、そのタイマーのカウントが一定時間経過すると、ステップＳ７の通常運転用設定温度を変更できるモードになるようにすることもできる。
【００２５】
【発明の効果】
以上のように、眠り制御運転を搭載した空気調和機において、リモコン装置の表示に通常運転時の設定温度と眠り制御運転時の設定温度を同時に表示することで、眠り制御運転時の設定温度を使用者に認識してもらい、眠り制御運転時に室温を何℃で空調するかをあらかじめ明示することができる。これにより、冷え過ぎ、暖まり過ぎを未然に予防することができ、健康的な睡眠を提供することができる。
【００２６】
また、眠り制御運転用設定温度選択ボタンを押すと、一定時間眠り制御運転用設定温度を表示し、眠り制御運転用設定温度を変更可能にできるモードになることにより、使用者が誤って眠り制御運転用設定温度を変更してしまい眠り制御運転用設定温度を低く設定し過ぎたり高く設定し過ぎたりして快適な安眠を妨げることのないように予防することができる。
【００２７】
また、リモコン装置の表示部が小さくて眠り制御運転用設定温度と通常運転用設定温度の表示が難しい場合、設定温度表示の切換で眠り制御運転用設定温度を表示し、変更することができる。
【図面の簡単な説明】
【図１】  この発明の実施の形態１〜５に共通のリモコン表示制御に関する制御ブロック図である。
【図２】  この発明の実施の形態１〜２によるリモコン装置の表示部と操作部を示す図である。
【図３】  この発明の実施の形態１によるリモコン表示制御に関するフローチャート図である。
【図４】  この発明の実施の形態２によるリモコン表示制御に関するフローチャート図である。
【図５】  この発明の実施の形態３によるリモコン表示制御に関するフローチャート図である。
【図６】  この発明の実施の形態４によるリモコン表示制御に関するフローチャート図である。
【図７】  この発明の実施の形態５によるリモコン表示制御に関するフローチャート図である。
【符号の説明】
１  眠り制御運転選択手段、２  通常運転用設定温度変更手段、３  眠り制御運転用設定温度変更手段、４  表示制御手段、５  通常運転用設定温度表示手段、６  眠り制御運転用設定温度表示手段、７  一定時間表示維持手段。
【図１】
0003847439.tif 000002
【図２】
0003847439.tif 000003
【図３】
0003847439.tif 000004
【図４】
0003847439.tif 000005
【図５】
0003847439.tif 000006
【図６】
0003847439.tif 000007
【図７】
0003847439.tif 000008